(57)【要約】【課題】断面コの字形の板状部材に断面コの字形の熱溶着用フィルムを当てがい熱溶着する場合、フィルムの折曲げ角度を適切として、熱溶着時に生ずるシワや気泡の発生に伴う不良品を排除する。【解決手段】断面コの字形のフィルムを装着する板状のダイのコーナ部分両側から、一対のパンチを当て、コーナ部分の折曲げ角度を８６〜８９．５°に折曲げ加工する。ダイの作用点には凹部を設け、パンチの作用点には、板状部材の面に対し僅か凹部内へ傾けた傾斜面を設ける。パンチは２度打ちする。【選択図】　　　図１
2004090271.tif 000002
【特許請求の範囲】
【請求項１】
熱溶着用のフィルムの平行する２本の線を略９０°内側に折曲げ、断面コの字形のフィルム形状を加工するフィルム折曲げ加工装置において、コの字部分の底部を合わせ、予め近似のコの字形に折曲げられたフィルムの底部を台座面との間に挟み込む断面コの字形のダイと、該ダイの端部両側に夫々接近離反自在の一対のパンチとを有し、
前記ダイの先端で前記台座面に直近する両面には、前記フィルムの折曲げコーナ部分を形成するための凹部を設け、
前記パンチの前記凹部へ当接される先端部の前記台座面寄りの端面には、前記ダイの凹部へ向けて僅かな角度傾斜した傾斜面を形成し、
前記一対のパンチを前記ダイに対して両方向から同時的に移動させて２度打ち動作をさせ、前記フィルムの内側折曲げ角度を８６〜８９．５°に形成することを特徴とするフィルム折曲げ加工装置。
【請求項２】
請求項１に記載のフィルム折曲げ加工装置において、前記傾斜面の傾斜角度は２°±１．５°であり、前記凹部の対応面は、これに合わせた傾斜面とすることを特徴とするフィルム折曲げ加工装置。
【発明の詳細な説明】
【０００１】
【発明の属する技術分野】
本発明は、熱溶着用のフィルムの平行する２本の線を略９０°内側に折曲げ、断面コの字形のフィルム形状を加工するフィルム折曲げ加工装置に関する。
【０００２】
【従来の技術】
近年、図３に示すように、医療の分野において輸血等に使用されるカートリッジ１が創案され、製造、販売、利用されるようになってきた。
【０００３】
図３に示すカートリッジ１は、厚み５ｍｍ程度のプラスチック製板状部材２の内部に、多数の蛇行流路３を有し、これを両端に備えた入口４及び出口５に備えた細孔との間で連通したものである。蛇行流路３は、板状部材２に切り込んだ溝の両側を透明なポリカーボネ−ト製のフィルム６で覆うことにより形成される。
【０００４】
フィルム６の展開図を図４に示した。フィルム６は、図示の形に裁断されて後、中間部を通る２本の折曲げ線７Ａ、７Ｂに沿って内側に曲げられ、コの字形状とされる。コの字形状とされたフィルムは、図５に示すように、底部を板状部材２の一側端に合わせ、図示しない熱溶着装置を用いて熱溶着されて、図３に示す形のカートリッジ１とされる。完成されたカートリッジ１は、医療機関にて輸血等に利用され、板状部材２を体温に合わせた湯につけることにより、入口４から入れられた血液等を体温と同一温度化して出口５から出力し、図示しない注射針を通して体内へ送ることができる。
【０００５】
以上示したカートリッジ１の製造において、従来は、図４に示すフィルム６を線７Ａ、７Ｂに沿って手作業で折曲げ、図５に示す形とし、これを熱溶着していた。
【０００６】
しかしながら、手作業による線７Ａ、７Ｂの折曲げでは、折曲げ角度に変化が生じ、折曲げ角度が甘い（９０°より上）場合には、図６（ａ）に示すように、板状部材２の合わせ面８よりの位置にシワや気泡９が生じ不良品となるという問題点があった。また、角度が鋭角すぎると図６（ｃ）に示すように、合わせ面８の両側にシワ１０が生じ、不良品となるという問題点があった。経験によれば、丁度良い角度８６〜８９．５°のときには、図６（ｂ）に示すように、シワ１０や気泡９を生じることがない。
【０００７】
【発明が解決しようとする課題】
本発明は、熱溶着用のフィルムの平行する２本の線を略９０°内側に折曲げ、断面コの字形のフィルム形状を加工する折曲げ加工において、内側折曲げ角度を丁度８６〜８９．５°とすることができるフィルム折曲げ加工装置を提供することを目的とする。
【０００８】
【課題を解決するための手段】
上記課題を解決することのできる本発明のフィルム折曲げ加工装置は、熱溶着用のフィルムの平行する２本の線を略９０°内側に折曲げ、断面コの字形のフィルム形状を加工するフィルム折曲げ加工装置において、
コの字部分の底部を合わせ、予め近似のコの字形に折曲げられたフィルムの底部を台座面との間に挟み込む断面コの字形のダイと、該ダイの端部両側に夫々接近離反自在の一対のパンチとを有し、
前記ダイの先端で前記台座面に直近する両面には、前記フィルムの折曲げコーナ部分を形成するための凹部を設け、
前記パンチの前記凹部へ当接される先端部の前記台座面寄りの端面には、前記ダイの凹部へ向けて僅かな角度傾斜した傾斜面を形成し、
前記一対のパンチを前記ダイに対して両方向から同時的に移動させて２度打ち動作をさせ、前記フィルムの内側折曲げ角度を８６〜８９．５°に形成することを特徴とする。
【０００９】
前記傾斜面の傾斜角度は２°±１．５°とし、前記凹部の対応面は、これに合わせた傾斜面とするのが適切である。
【００１０】
ダイの凹部に対応するパンチ先端の端面を傾斜面とすることにより、フィルム内側角度を鋭角とすることができる。角度は、８６〜８９．５°が適切で、これにより、熱溶着後の製品（カートリッジ）を図６（ｂ）に示したように全て良品とすることができる。
【００１１】
パンチをダイに対して２度打ちするのは、フィルムの可塑性による弾性戻りを略ゼロに抑えるための手立てである。１度の抑えでは、戻りが生じ、正確な角度を保て無い。３度以上は不要である。
【００１２】
【発明の実施の形態】
以下、図１及び図２を用いて本発明の一実施の形態を説明する。図１は、本発明のフィルム折曲げ加工装置の断面図、図２は、当該装置を用いて折曲げ加工されたフィルムの断面形状の説明図である。
【００１３】
図１に示すように、本発明の一実施形態に係るフィルム折曲げ加工装置１１は、図４で示したような熱溶着用のフィルム６の平行する２本の折曲げ線７Ａ、７Ｂを略９０°内側に折曲げ、断面コの字形のフィルム形状を加工するフィルム折曲げ加工装置であって、
コの字部分の底部を合わせ、予め近似のコの字形に折曲げられたフィルム６の底部８を台座１２の上面との間に挟み込む断面コの字形のダイ１３と、該ダイ１３の下端両側に夫々接近離反自在の一対のパンチ１４Ａ、１４Ｂとを有し、
前記ダイ１３の先端で前記台座１２の上面に直近する両面には、前記フィルム６の折曲げコーナ部分を形成するための凹部１５を設け、
前記パンチ１４Ａ、１４Ｂの前記凹部１５へ当接される先部の下面１６には、前記ダイ１３の凹部１５へ向けて僅かな角度傾斜した角度αの傾斜面とし、
前記一対のパンチ１４Ａ、１４Ｂを前記ダイ１３に対して両方向から同時的に移動させて２度打ち動作をさせ、図２に示す前記フィルム６の内側折曲げ角度βを８６〜８９．５°に形成するものである。
【００１４】
前記傾斜面１６のダイ１３の平行面に対する傾斜角度は２°±１．５°とし、前記凹部１５の対応面１７は、これに合わせた傾斜面としている。
【００１５】
パンチ１４Ａ、１４Ｂ及び、凹部１５の上側傾斜面は、折曲げ加工に作用しないよう、一方の面を逃しておく方が好ましい。また、パンチ１４Ａ、１４Ｂの先端は鋭利とせず、その先端によってフィルムを曲げ込まないようにするのが望ましい。
【００１６】
以上の構成により、予め近似のコの字形状に折曲げられたフィルム６をダイ６に嵌合、装着し、台座１２の上面との間で挟み込み、図示しないシリンダ装置を駆動してパンチ１４Ａ、１４Ｂを両側から接近、当接することを２回繰り返すことにより、図２に破線で示すように、フィルム６の内側角度βを８６〜８９．５°に折曲げることができる。従って、このフィルム６をカートリッジ１の板状部材２に嵌合し、熱溶着することにより、シワ１０や気泡９のような不良品を発生することなく、カートリッジ１を製造することができる。
【００１７】
図１に示したフィルム折曲げ加工装置１１は、天地逆とし、コの字底部が上面となるよう装置構成することもできる。このようにすれば、ダイ１３へのフィルム６への装着作業が容易である。折曲げ加工については、同一作業にて同様作業を行うことができ、同様の効果を奏することができる。
【００１８】
本発明は、上記実施の形態に限定されるものではなく、本発明の要旨を逸脱しない範囲で適宜設計的変更を加えることができ、各種態様で実施できる。
【００１９】
【発明の効果】
本発明のフィルム折曲げ加工装置によれば、特許請求の範囲に記載の通りの構成を有するので、熱溶着用のフィルムの平行する２本の線を８６〜８９．５°の範囲に正確に折曲げ加工することができ、不良品を発生すること無く熱溶着することができ、良質の医療用カートリッジを提供できる。
【図面の簡単な説明】
【図１】本発明の一実施の形態に係るフィルム折曲げ加工装置の断面図である。
【図２】上記装置で折曲げ加工されたフィルムの断面形状の説明図である。
【図３】近年創案された輸血等に用いる医療用カートリッジの側面図である。
【図４】上記カートリッジに熱溶着されるフィルムの展開図である。
【図５】折曲げ加工された熱溶着用フィルムの底面をカートリッジの板状部材の底面に合わせた状態を示す左側面図である。
【図６】折曲げ加工されたフィルムの曲げ角度により、シワや気泡が生ずることを示す断面説明図で、（ａ）図は角度が甘い場合、（ｂ）図は角度が適切である場合、（ｃ）図は角度が鋭角すぎる場合を示す。
【符号の説明】
１　医療用カートリッジ
２　板状部材
３　蛇行流路
４　入口
５　出口
６　熱溶着用フィルム
７Ａ、７Ｂ　折曲げ線
８　合わせ面
９　気泡
１０　シワ
１１　フィルム折曲げ加工装置
１２　台座
１３　ダイ
１４Ａ、１４Ｂ　パンチ
１５　凹部
１５　傾斜面（下面）
１７　対応面
【図１】
2004090271.tif 000003
【図２】
2004090271.tif 000004
【図３】
2004090271.tif 000005
【図４】
2004090271.tif 000006
【図５】
2004090271.tif 000007
【図６】
2004090271.tif 000008